(57)【要約】【課題】管継手を介して接続される管を縦穴内に配設する場合において、前記管同士を良好に接続しながら縦穴内に能率よく配設できる縦配管の配設方法および、この縦配管の配設方法に適した管継手などを提供する。【解決手段】挿口５の外周面に挿口凹溝１１が形成され、挿口凹溝１１に装着されるロックリング３を拡縮自在に収容するロックリング収容溝４が受口２の内周に形成され、管同士を縦方向に接続して縦穴に配設する縦配管の配設方法である。接続対象の下方の管を、その挿口側部分が縦穴に挿入され、受口２側部分が縦穴から出て受口２が上向きとなった状態に配設する工程と、接続対象の上方の管の挿口５を、前記上向きとなった受口２の上から挿入する工程とを有する。この方法により、縦配管の配設作業（接合作業）を正確にかつ能率よく行うことができる。【選択図】図７
2011247288.tif 000002
【特許請求の範囲】
【請求項１】
一方の管の端部に受口が形成され、他方の管の端部に挿口が形成され、挿口の外周面に挿口凹溝が形成され、前記挿口凹溝に装着されるロックリングを拡縮自在に収容するロックリング収容溝が受口の内周に形成され、前記一方の管と他方の管を縦方向に接続して縦穴に配設する縦配管の配設方法であって、
接続対象の管における下方の管を、挿口側部分が縦穴に挿入され、受口側部分が縦穴から出て受口が上向きとなった状態に配設する工程と、
接続対象の管における上方の管の挿口を、前記下方の管の、上向きとなった受口の上から挿入する工程と
を有することを特徴とする縦配管の配設方法。
【請求項２】
管同士を接合する前に予め下方の管において、受口を上向きとした状態で、周方向１つ割りのロックリングを拡径状態に維持するストッパが、ロックリングの端部に挟持された状態で受口に装着されていることを特徴とする請求項１記載の縦配管の配設方法。
【請求項３】
請求項１または２に記載の縦配管の配設方法に用いられる縦配管用の管継手であって、
一方の管の端部をなす受口と、
他方の管の端部をなして受口に挿入される挿口と、
挿口の外周面に形成された挿口凹溝と、
受口の内周に形成され、前記挿口凹溝に装着されるロックリングを拡縮自在に収容するロックリング収容溝と、
受口の開口部に臨む内周に形成され、ロックリングを拡径状態に維持するストッパを装着するための切欠部と
を有することを特徴とする縦配管用の管継手。
【請求項４】
管同士が縦方向に接続されて配設される一方の管の受口に配設され、
一方の管における受口の内周に形成されたロックリング収容溝に収容されている周方向１つ割のロックリングを拡径させ、他方の管の挿口をロックリングの内側に通過させて受口内に挿入することにより、一方の管と他方の管とを接合する際にロックリングの拡径状態を維持するためのストッパであって、
ロックリング収容溝に収容された状態で拡径されているロックリングの分割部における周方向の両端部間に挟み込まれ且つ受口開口部側から挿脱可能な拡径維持部と、拡径維持部から受口開口部の外側へ連設された取手部とを有し、
受口内に挿口が挿入された後に受口と挿口との隙間を通って受口開口部の外側へ回収可能に構成されていることを特徴とするストッパ。
【請求項５】
前記請求項４に記載のストッパを取付けた管であって、
ロックリング収容溝にロックリングが収容され、
ロックリングの分割部における周方向の両端部間に、ストッパの拡径維持部が挟み込まれ、
ストッパの取手部が受口の内部から受口開口部の外側へ露出していることを特徴とする管。
【発明の詳細な説明】
【技術分野】
【０００１】
本発明は、縦穴に管を配設する方法と、これに適した管継手などに関する。
【背景技術】
【０００２】
ダクタイル製の鋳鉄管などの管同士を接続する管継手の一種として、互いに接続される一方の管の端部に受口を形成するとともに、他方の管の端部に受口に挿入される挿口を形成し、これら受口の内周面と挿口の外周面との間で環状のシール材を圧縮して配設するなどして、受口と挿口とで管同士を接続する構造は、既に知られている。また、前記シール材に加えて、ロックリングを受口と挿口との間に配設して受口と挿口とが離脱しないように接続した管継手構造（いわゆる離脱防止管継手）も知られている（特許文献１等）。
【０００３】
ロックリングは、周方向１つ割の分割部を有し、弾性変形可能な金属製のものなどが用いられ、受口の内周にはロックリングを収容可能なロックリング収容溝が形成されている。また、挿口の先端部外周面には先端側が細くなったテーパ面が形成され、挿口の外周面における前記テーパ面よりも奥側の箇所には、ロックリングの内周側部分を嵌合させる挿口凹溝が形成されている。
【０００４】
一方の管に形成された受口に、他方の管に形成された挿口を挿入して管を接続する場合には、まず、管の挿口を挿入方向に大きな力を加えて、挿口先端部のテーパ面により、受口の収容溝に収容したロックリングを拡径させる。そして、継続して大きな力を加えて、挿口を受口内に挿入するとともに、さらに挿口を奥側まで挿入して、挿口凹溝にロックリングを嵌合させる。これにより、挿口が受口から離脱する方向に力が作用した場合でも、ロックリングが挿口および受口に係合して、受口からの挿口の離脱が阻止されるよう構成されている。
【０００５】
ところで一般に、この種の管は、上水道管や下水道管などとして、横方向に配設される管として用いられるため、用途が限定される。これに対して、この種の管の使用用途を広げるものとして、地中に縦向きに掘った井戸用などの縦穴内に、取水用配管として管を縦姿勢で配設することが考えられる。
【先行技術文献】
【特許文献】
【０００６】
【特許文献１】実開平４−１３３０９２号公報
【発明の概要】
【発明が解決しようとする課題】
【０００７】
しかしながら、このように管継手を介して接続される管を、地中に縦向きに掘った井戸用などの縦穴内に配設する場合、どのようにすれば、前記管同士を良好に接続しながら縦穴内に配設できるかが大きな課題となる。
【０００８】
例えば、下方の管に上方の管を接合する場合に、下方の管の受口側を縦穴内に挿入するとともに、この管の挿口が地上に出た状態で上に向けて、接続する上方の管をその受口が下方に向く状態で接続しようとすると、この際に、受口内部を見上げるようにして、ロックリングの軸心が受口の軸心に合っていることを目視しなければならない。しかし、見上げながらの目視確認作業は正確に行うことが困難であるとともに、作業性が悪いという課題を生じる。また、挿口に受口が被さった状態を下から覗き込むようにして、挿口と受口との軸心が合っているかどうかを目視して確認しなければならないが、この目視確認作業も正確に行うことが困難であるとともに、作業性が悪いという課題を生じる。
【０００９】
また、管を縦穴内に配設する場合には、接続した管を宙吊り状態で徐々に下方に延長させて配設することとなるが、このような不安定な支持状態で、受口に挿口を挿入して管同士を接続しなければならない。この場合に、不安定な状態で、受口の収容溝に収容したロックリングが拡径するように、大きな力を加えながら挿口を挿入する作業が必要となると、接合作業自体が極めて困難となって、極めて多くの手間や時間がかかりながら、接合作業を確実に行える可能性が低くなるなど、作業能率の低下を招くおそれがある。
【００１０】
本発明は上記課題を解決するもので、管同士を縦穴内に安定した状態で正確にかつ能率よく接続して配設することができる縦配管の配設方法および、この縦配管の配設方法に適した管継手などを提供することを目的とする。
【課題を解決するための手段】
【００１１】
上記課題を解決するために、本発明の縦配管の配設方法は、一方の管の端部に受口が形成され、他方の管の端部に受口が形成され、挿口の外周面に挿口凹溝が形成され、前記挿口凹溝に装着されるロックリングを拡縮自在に収容するロックリング収容溝が受口の内周に形成され、前記一方の管と他方の管を縦方向に接続して縦穴に配設する縦配管の配設方法であって、接続対象の管における下方の管を、挿口側部分が縦穴に挿入され、受口側部分が縦穴から出て受口が上向きとなった状態に配設する工程と、接続対象の管における上方の管の挿口を、前記下方の管の上向きとなった受口の上から挿入する工程とを有することを特徴とする。
【００１２】
この方法によれば、上方の管の受口を、上方からのぞき込みながら（あるいは目の前で見ながら）管の接合作業を行うことができるので、ロックリングの軸心が受口の軸心に合っていることを正確かつ容易に目視することができる。また、一方の管の受口に、他方の管の挿口を入れる際に、受口と挿口との軸心が合っていることを正確かつ容易に目視することができる。これらにより、縦配管の配設作業（接合作業）を正確にかつ能率よく行うことができる。
【００１３】
また、本発明の縦配管の配設方法は、管同士を接合する前に予め下方の管において、受口を上向きとした状態で、周方向１つ割りのロックリングを拡径状態に維持するストッパが、ロックリングの端部に挟持された状態で受口に装着されていることを特徴とする。
【００１４】
この方法によれば、ストッパを受口に装着した際に、受口が上向き姿勢であるので、ストッパが、このストッパの自重により、ロックリングの端部から外れるようなことがなく、ストッパを装着した状態が、良好に維持される。したがって、ロックリングを拡径状態に良好に保持した状態で縦配管の接合作業を良好に行うことができる。また、ストッパを受口に装着して、ロックリングを拡径状態に維持した状態で、管の自重あるいは小さい力だけを利用して管同士の接合作業を行うことができるので、ストッパを用いない場合のように上方の管の挿口を受口に挿入する際に大きな力を与える必要がなくて、接合作業を比較的安定した状態で確実に行える。
【００１５】
また、本発明の縦配管用の管継手は、前記縦配管の配設方法に用いられる縦配管用の管継手であって、一方の管の端部をなす受口と、他方の管の端部をなして受口に挿入される挿口と、挿口の外周面に形成された挿口凹溝と、受口の内周に形成され、前記挿口凹溝に装着されるロックリングを拡縮自在に収容するロックリング収容溝と、受口の開口部に臨む内周に形成され、ロックリングを拡径状態に維持するストッパを装着するための切欠部とを有することを特徴とする。
【００１６】
この構成によれば、ロックリング収容溝に収容されたロックリングに対して、ストッパを、受口の開口部に臨む内周に形成された切欠部を通して良好に装着することができる。また、管同士の接合作業を行う前に、予めストッパを受口に装着しておくことで、ロックリングの軸心が、受口の軸心とほぼ合った状態で配設でき、作業能率が向上する。
【００１７】
また、本発明のストッパは、管同士が縦方向に接続されて配設される一方の管の受口に配設され、一方の管における受口の内周に形成されたロックリング収容溝に収容されている周方向１つ割のロックリングを拡径させ、他方の管の挿口をロックリングの内側に通過させて受口内に挿入することにより、一方の管と他方の管とを接合する際にロックリングの拡径状態を維持するためのストッパであって、ロックリング収容溝に収容された状態で拡径されているロックリングの分割部における周方向の両端部間に挟み込まれ且つ受口開口部側から挿脱可能な拡径維持部と、拡径維持部から受口開口部の外側へ連設された取手部とを有し、受口内に挿口が挿入された後に受口と挿口との隙間を通って受口開口部の外側へ回収可能に構成されていることを特徴とする。
【００１８】
この構成によれば、管同士の接合作業を行う前に、予めストッパを受口に装着しておくことで、ロックリングを拡径状態に良好に維持することができる。また、管同士の接合作業を行った際に、取手部を持ってストッパを受口から引き抜くことで、ロックリングを挿口に装着することができるとともにストッパを良好に回収することができる。
【００１９】
また、本発明のストッパは、前記ストッパを取付けた管であって、ロックリング収容溝にロックリングが収容され、ロックリングの分割部における周方向の両端部間に、ストッパの拡径維持部が挟み込まれ、ストッパの取手部が受口の内部から受口開口部の外側へ露出していることを特徴とする。この構成によれば、ストッパが予め管に取り付けられているので、管同士の接合作業を能率よく行うことができる。
【発明の効果】
【００２０】
以上のように本発明によれば、管の受口が上向きとなる姿勢で管同士を接合することで、縦配管の配設作業（接合作業）を正確にかつ能率よく行うことができる。また、受口を上向きとした状態で、周方向１つ割りのロックリングを拡径状態に維持するストッパが、ロックリングの端部に挟持された状態で受口に装着することで、ロックリングを拡径状態に維持した状態で、管の自重あるいは小さい力だけを利用して管同士の接合作業を行うことができるので、ストッパを用いない場合のように上方の管の挿口を受口に挿入する際に大きな力を与える必要がなくて、接合作業を比較的安定した状態で確実に行える。また、受口の開口部に臨む内周に、ロックリングを拡径状態に維持するストッパを装着するための切欠部を形成することで、ロックリング収容溝に収容されたロックリングに対して、ストッパを、受口の開口部に臨む内周に形成された切欠部を通して良好に装着することができる。
【図面の簡単な説明】
【００２１】
【図１】本発明の実施の形態に係る、井戸として用いる縦穴内に管を配設した状態を簡略的に示す図である。
【図２】本発明の実施の形態に係る管継手の断面図である。
【図３】本発明の実施の形態に係る管を受口側から見た側面図である。
【図４】同管の受口にストッパを装着した状態を示す斜視図である。
【図５】（ａ）および（ｂ）は同管の受口にストッパを装着した状態を示す平面図および断面図である。
【図６】同管継手の断面図で、挿口を受口に挿入している途中の状態を示す。
【図７】同管継手の断面図で、挿口を受口に挿入した状態を示す。
【図８】同管継手の断面図で、挿口を受口に挿入して、ストッパを取り外した状態を示す。
【図９】本発明の実施の形態に係る、縦配管の配設方法を簡略的に示す図である。
【発明を実施するための形態】
【００２２】
以下、本発明の実施の形態に係る縦配管の配設方法およびこの縦配管の配設方法に適した管継手などを図面に基づき説明する。なお、本発明の実施の形態においては、井戸として用いる縦穴内に管を順次接続しながら配設する場合の縦配管の配設方法について説明する。
【００２３】
図１における５０は井戸用の縦穴、５１は地中５２に形成されている水層であり、縦穴５０内に、一端側に受口、他端側に挿口が形成された複数の管１が縦方向に接合された縦配管状態で配設されて、井戸水を汲み上げる取水用配管５３として用いられる。なお、取水用配管５３の底部近傍には、水層５１からの水を管内に取り入れる小さな取水用隙間が多数形成されたスクリーン５４が設けられている。
【００２４】
次に、図２〜図４などを参照しながら、本発明の縦配管の配設方法に用いる管および管継手について説明する。ここで、図２は本発明の実施の形態に係る管継手の断面図、図３は本発明の実施の形態に係る管を受口側から見た側面図である。
【００２５】
図２に示すように、一方の管１の端部に受口２が形成されている。受口２の内周には、ロックリング３を収容するロックリング収容溝４と、ロックリング収容溝４よりも受口奥側に位置して、挿口５の外周と受口２の内周との間をシールするシール材６を収容するシール材収容部７と、受口２の開口端面２ａとロックリング収容溝４との間に位置する開口端側突部８と、ロックリング収容溝４とシール材収容部７との間に位置する奥側突部９と、シール材収容部７よりも受口奥側に位置する奥端面１０などが形成されている。
【００２６】
ロックリング３は弾性変形可能な金属製などの環状リングであり、周方向１つ割の分割部３ａ（図３参照）を有する。また、ロックリング３の内周（ロックリング収容溝４に収容させた状態で受口開口側となる内周）に、受口奥側ほど径が小さくなるテーパ面３ｂが形成されている（図２参照）。
【００２７】
挿口５には、その先端部外周に、先端ほど径が小さくなるテーパ面５ａが形成されているとともに、挿口５の先端から所定距離離れた外周に、ロックリング３に係合する挿口凹溝１１が形成されている。ここで、ロックリング３は、外力が与えられていない状態（縮径状態）で、ロックリング３の内径が、挿口５の外径より小さな寸法、例えば、挿口凹溝１１の底面部の径寸法となるように形成されている。
【００２８】
さらに、上記構成に加えて、図３などに示すように、受口２の開口端側突部８の一部は所定幅で切欠かれており、この切欠部分は、ロックリング３を拡径状態に維持するストッパ１２（図４〜図８参照）を装着するための切欠部１３とされている。
【００２９】
図４は管１の受口２にストッパ１２を装着した状態を示す斜視図、図５（ａ）および（ｂ）は管１の受口２にストッパ１２を装着した状態を示す平面図および断面図である。
これらの図に示すように、ストッパ１２は、ロックリング収容溝４に収容された状態で拡径されているロックリング３の分割部３ａにおける周方向の両端部間に挟み込まれ且つ受口開口部側から挿脱可能な拡径維持部１２ａと、拡径維持部１２ａから受口開口部の外側へ連設された取手部１２ｂとを有する。そして、ストッパ１２を受口２に装着して、ストッパ１２の拡径維持部１２ａをロックリング３の分割部３ａにおける周方向の両端部間に挟み込ませることにより、ロックリング３の内径が挿口５の外径と同程度かそれより大きくなるよう構成されている。なお、ストッパ１２は、受口２に挿口５が挿入された後に、受口２と挿口５との隙間および切欠部１３を通って受口開口部の外側へ回収可能に構成されている。
【００３０】
上記構成の管継手構造を有する管１を縦方向に接続しながら縦穴５０に配設する縦配管の配設方法は、以下のようにして行われる。まず、図９に示すように、接続対象の管１における下方の管１（１Ａ）を、挿口５側の部分が縦穴５０に挿入され、受口２側の部分が縦穴５０から出て受口２が上向きとなった状態に配設する（管配設工程）。なお、図９に示すように、管１の接合作業を行う箇所には、管１を外側から挟持するなどして所定姿勢に保持するとともに、管１を保持した状態を維持しながら下降させることが可能な、例えば、対となった半円形の保持アーム７０、７１を有する保持装置が設けられている。ここで、図９における７０は下の管１Ａを保持する保持アーム、７１は後述する上の管１Ｂを保持する保持アームであり、これらの保持アーム７０、７１は昇降して互いの上下位置を変更することも可能に構成されている。
【００３１】
ここで、管１同士を接合する前に、管１には予め、図５に示すように、ロックリング３をロックリング収容溝４に収容させ、シール材６をシール材収容部７に収容させておくだけでなく、ストッパ１２を受口２に装着して、ストッパ１２の拡径維持部１２ａをロックリング３の分割部３ａにおける周方向の両端部間に挟み込ませ、ロックリング３の内径が挿口５の外径と同程度かそれより大きくなるようにしておく。なお、より好ましくは、ロックリング３、シール材６およびストッパ１２の装着作業は、管１を接合する現場で行うのではなく、管１としての製品の工場出荷時等にすでに行われていることが望ましく、これにより、現場での作業の手間を省くことができて作業能率が向上する。
【００３２】
上記のように、接続対象の管１における下方となる管１（１Ａ）を、受口２側の部分が縦穴５０から出て受口２が上向きとなった状態に配設した後、ロックリング３の軸心が受口２の軸心に合っていることを確認する。この際、受口２が上向きとなった状態に配設したので、下方の管１（１Ａ）の受口２を上方からのぞき込むことができて、ロックリング３の軸心が受口２の軸心に合っていることを正確かつ容易に目視することができる。また、この際、ストッパ１２が受口２に装着されて、ロックリング３が拡径状態に維持されているので、ロックリングの軸心が、受口の軸心とほぼ合った状態で配設でき、作業能率が向上する。
【００３３】
次に、前記下方の管１（１Ａ）に接続する管１（１Ｂ）を、保持アーム７１で保持するなどして管１Ａの上方に配設した後、保持アーム７１を徐々に下降させて、図６、図７に示すように、上方の管１（１Ｂ）の挿口５を、前記下方の管１（１Ａ）の上向きとなった受口２の上から挿入する（挿入工程）。この際、受口２およびロックリング３と挿口５との軸心が合っていることを確認しながら、接合作業を行う。この際にも、受口２が上向きとなった状態に配設したので、下方の管１（１Ａ）の受口２と、上方の管１（１Ｂ）の挿口５との接合箇所を目の前で確認することができ、受口２およびロックリング３と挿口５との軸心が合っていることを正確かつ容易に目視することができる。また、受口２が上向きとなった状態であるので、接合作業中に、ストッパ１２が抜け落ちることもない。
【００３４】
また、ストッパ１２を受口２に装着して、ロックリング３を拡径状態に維持した状態で挿口５を挿入するので、管１Ａの自重あるいは小さい力だけを利用して管１（１Ａ、１Ｂ）同士の接合作業を行うことができる。すなわち、ストッパ１２を用いない従来の場合のように上方の管の挿口を受口に挿入する際に大きな力を与える必要がなく、より少ない手間や時間で、かつ比較的安定した状態で、接合作業を行うことができて作業能率が良好となる。
【００３５】
挿口５の挿入作業を行った後には、ストッパ１２の取手部１２ｂを持ってストッパ１２を受口２の切欠部１３から引き抜く。これにより、図８に示すように、ロックリング３の内周部が挿口５の挿口凹溝１１に嵌まり込み、ロックリング３を挿口５に装着することができ、その結果、下方の管１Ａと上方の管１Ｂとが離脱しない状態で確実に接合される。また、ストッパ１２を良好に回収することができる。
【００３６】
この後、下方の管１Ａを保持していた保持アーム７０による保持動作を解除し、上方の管１Ｂを保持していた保持アーム７１を下降させて、この上方に位置していた管１Ｂの挿口５側の部分が縦穴５０に挿入され、受口２側の部分が縦穴５０から出て受口２が上向きとなった状態に配設し、前記接合作業を繰り返す。これにより、管１を接合させながら縦穴５０内に順次配設することができる。
【００３７】
上記のように、管継手を介して接続される管１を、地中に縦向きに掘った井戸用などの縦穴５０内に配設する場合には、接続した管１が上方から宙吊りの状態で、徐々に下方に延長させて配設するので、地中などで管自体が支持されて安定な状態で横に接続して配設する場合に比べて、極めて不安定な姿勢で接合および配設しなければならない。また、万一、一部でも管１同士が離脱して外れてしまうと、離脱位置より下方の部分が全て、縦穴５０内に落下してしまい、支障をきたすので、管１同士が確実に係合して、離脱することが無いよう構成しなければならないが、上記構成ならびに方法により、管１を確実に接合しながら良好かつ能率よく縦向きに配設することができる。
【００３８】
なお、上記実施の形態においては、井戸として用いる縦穴内に管を順次接続しながら配設する場合の縦配管の配設方法について説明したが、これに限るものではなく、各種の縦穴内に管を順次接続しながら縦配設するいろいろな場合に適用可能である。
【符号の説明】
【００３９】
１、１Ａ、１Ｂ    管
２      受口
３      ロックリング
４      ロックリング収容溝
５      挿口
６      シール材
８      開口端側突部
１１    挿口凹溝
１２    ストッパ
１２ａ  拡径維持部
１２ｂ  取手部
１３    切欠部
５０    縦穴
５１    水層
５２    地中
５３    取水用配管
７０、７１    保持アーム
【図１】
2011247288.tif 000003
【図２】
2011247288.tif 000004
【図３】
2011247288.tif 000005
【図４】
2011247288.tif 000006
【図５】
2011247288.tif 000007
【図６】
2011247288.tif 000008
【図７】
2011247288.tif 000009
【図８】
2011247288.tif 000010
【図９】
2011247288.tif 000011